(57)【要約】      （修正有）【課題】吸込ユニットの接続口近傍で空気の乱流が発生し、吸引効率が低下することを防止する。【解決手段】吸引通路１０２は空気通路内において電動送風機より上流側の流路を形成し、吸込口４と接続口１０１とを連結する。接続口１０１は電動送風機の吸気孔に対向して配され、吸引通路１０２を流通した空気は接続口１０１を介して電動送風機に吸気される。吸引通路１０２は空気流通方向の上流側から第１吸引通路１０２ａ、第２吸引通路１０２ｂ及び第３吸引通路１０２ｃに区分される。【選択図】図４
2018108168.tif 000002
【特許請求の範囲】
【請求項１】
電動送風機を有する電気掃除機に設けられる吸引ユニットであって、
前記吸引ユニットは、
被清掃面に対向して所定の長手方向に延びる吸込口と、
前記電動送風機に接続される接続口と、
前記吸込口の前記長手方向中心と前記接続口の前記長手方向中心とを結ぶ中心線方向に延びて前記吸込口と前記接続口とを連結する吸引通路と、
前記吸引通路の内部に設けられ、前記接続口側から前記吸込口側へ延びる複数の第１仕切壁と、
を備え、
前記吸引通路は、
前記吸引通路を前記第１仕切壁で前記吸込口の前記長手方向に仕切り、前記吸引通路の前記中心線が位置する第１主通路と、
前記第１仕切壁を介して前記第１主通路よりも前記長手方向の両外側に位置する複数の第１分割通路と、
を有することを特徴とする吸引ユニット。
【請求項２】
前記第１仕切壁の上流端は前記吸引通路内の前記吸込口と前記接続口との流路中央より前記接続口側に位置することを特徴とする請求項１に記載の吸引ユニット。
【請求項３】
前記第１主通路の下流端の幅と前記第１分割通路の下流端の幅とが、異なることを特徴とする請求項１又は請求項２に記載の吸引ユニット。
【請求項４】
左右の前記第１分割通路の下流端の幅が、同一であることを特徴とする請求項１〜請求項３のいずれかに記載の吸引ユニット。
【請求項５】
前記第１分割通路は下流端近傍において前記接続口に近づくに従って流路幅が大きくなることを特徴とする請求項１〜請求項４のいずれかに記載の吸引ユニット。
【請求項６】
前記吸引通路の下方に集塵部が設けられ、前記集塵部の後部上方が開口して前記吸引通路の一部と連通することを特徴とする請求項１〜請求項５のいずれかに記載の吸引ノズル。
【請求項７】
前記第１仕切壁の上流端における下端は、前記第１仕切壁の下流端における下端より下側に延びることを特徴とする請求項６に記載の吸引ユニット。
【請求項８】
前記吸引通路における前記吸込口の前記長手方向の幅が、前記集塵部における前記吸込口の前記長手方向の幅よりも狭いこと特徴とする請求項６又は請求項７に記載の吸引ユニット。
【請求項９】
前記吸引通路の内部に設けられ、前記吸込口側から前記接続口側へ延びる複数の第２仕切壁を備え、
前記吸引通路は、
前記吸引通路を前記第２仕切壁で前記吸込口の前記長手方向に仕切り、前記吸引通路の前記中心線が位置する第２主通路と、
前記第２仕切壁を介して前記第２主通路よりも前記長手方向の両外側に位置する複数の第２分割通路と、
を有することを特徴とする請求項１〜請求項８のいずれかに記載の吸引ユニット。
【請求項１０】
前記第１仕切壁の上流端と前記第２仕切壁の下流端とが離間して形成されていることを特徴とする請求項９に記載の吸引ユニット。
【請求項１１】
前記第１仕切壁の上流端と前記第２仕切壁の下流端とが連続して形成されていることを特徴とする請求項９に記載の吸引ユニット。
【請求項１２】
前記第１分割通路の上流部及び前記第２分割通路の下流部の流路幅が同一に形成されていることを特徴とする請求項９〜請求項１１のいずれかに記載の吸引ユニット。
【請求項１３】
前記第２主通路の上流端の前記長手方向の幅は、前記第１主通路の下流端の前記長手方向の幅よりも広いことを特徴とする請求項９〜請求項１２のいずれかに記載の吸引ユニット。
【請求項１４】
前記第２仕切壁が、上流端に前記長手方向に対して略垂直な上流側垂直部を有することを特徴とする請求項９〜請求項１３のいずれかに記載の吸引ユニット。
【請求項１５】
前記第２仕切壁が、前記上流側垂直部の下流側に連続して前記中心線から離れた側に凸に湾曲する第１湾曲部を有することを特徴とする請求項１４に記載の吸引ユニット。
【請求項１６】
前記第２仕切壁が、前記第１湾曲部の下流側に連続して前記中心線に近い側に凸に湾曲する第２湾曲部を有することを特徴とする請求項１５に記載の吸引ユニット。
【請求項１７】
前記第２仕切壁が、前記第２湾曲部に連続する下流端に前記長手方向に対して略垂直な下流側垂直部を有することを特徴とする請求項１６に記載の吸引ユニット。
【請求項１８】
前記第２仕切壁が、下流端に前記長手方向に対して略垂直な下流側垂直部を有することを特徴とする請求項１３または請求項１４に記載の吸引ユニット。
【請求項１９】
前記第１仕切壁及び前記第２仕切壁は平板状であり、前記吸込口側から前記接続口側にわたって一直線上に連続して形成されることを特徴とする請求項９〜請求項１３のいずれかに記載の吸引ユニット。
【発明の詳細な説明】
【技術分野】
【０００１】
本発明は、空気を吸引する吸引ユニットに関する。
【背景技術】
【０００２】
従来の電気掃除機は特許文献１に開示されている。この電気掃除機は空気の吸込口及び空気の排気口を開口する筐体を備え、筐体の内部には電動送風機と電動送風機の上流側に配される吸引ユニットとを有する。
【０００３】
吸引ユニット内には吸込口と接続口とを連結する吸引通路を有し、接続口は電動送風機の吸気孔（不図示）に対向して配される。また、吸込口と接続口との間にはフィルタが設けられている。筐体の底面には左右一対の駆動輪と従動輪が取り付けられ、筐体は室内の床面上を移動することができる。
【０００４】
上記構成の電気掃除機において、操作スイッチの操作により電動送風機が駆動されると吸込口から吸引通路内に塵埃等のゴミを含む空気が吸い込まれ、塵埃がフィルタにより捕集される。フィルタを通過した空気は接続口を介して電動送風機内に吸気されて排気口から筐体の外部に排気される。これにより、床面が清掃される。
【先行技術文献】
【特許文献】
【０００５】
【特許文献１】特開２０１５−１９２８７６号公報
【発明の概要】
【発明が解決しようとする課題】
【０００６】
しかしながら、上記従来の吸込ユニットによると、接続口近傍で空気の乱流が発生し、吸込ユニットの吸引効率が低下する問題があった。
【０００７】
本発明は、吸引効率を向上できる吸引ユニットを提供することを目的とする。
【課題を解決するための手段】
【０００８】
本発明の例示的な吸引ノズルは、電動送風機を有する電気掃除機に設けられる吸引ユニットであって、前記吸引ユニットは、被清掃面に対向して所定の長手方向に延びる吸込口と、前記電動送風機に接続される接続口と、前記吸込口の前記長手方向中心と前記接続口の前記長手方向中心とを結ぶ中心線方向に延びて前記吸込口と前記接続口とを連結する吸引通路と、前記吸引通路の内部に設けられ、前記接続口側から前記吸込口側へ延びる複数の第１仕切壁と、を備え、前記吸引通路は、前記吸引通路を前記第１仕切壁で前記吸込口の前記長手方向に仕切り、前記吸引通路の前記中心線が位置する第１主通路と、前記第１仕切壁を介して前記第１主通路よりも前記長手方向の両外側に位置する複数の第１分割通路と、を有する。
【発明の効果】
【０００９】
例示的な本発明によれば、吸引効率を向上できる吸引ユニットを提供することができる。
【図面の簡単な説明】
【００１０】
【図１】図１は、本発明の第１実施形態に係る吸引ユニットを備える電気掃除機の斜視図である。
【図２】図２は、本発明の第１実施形態に係る吸引ユニットを備える電気掃除機の底面図である。
【図３】図３は、本発明の第１実施形態に係る吸引ユニットを備える電気掃除機の側面断面図である。
【図４】図４は、本発明の第１実施形態に係る吸引ユニットの斜視図である。
【図５】図５は、本発明の第１実施形態に係る吸引ユニットの上面断面図である。
【図６】図６は、本発明の第１実施形態に係る吸引ユニットの吸込口の風速分布のシミュレーションの結果を示すグラフである。
【図７】図７は、本発明の第２実施形態に係る吸引ユニットの上面断面図である。
【図８】図８は、本発明の第３実施形態に係る吸引ユニットの斜視図である。
【図９】図９は、本発明の第３実施形態に係る吸引ユニットの上面断面図である。
【図１０】図１０は、本発明の第３実施形態の変形例に係る吸引ユニットの上面断面図である。
【図１１】図１１は、本発明の第４実施形態に係る吸引ユニットの上面断面図である。
【図１２】図１２は、本発明の第５実施形態に係る吸引ユニットの吸引ノズルの正面断面図である。
【図１３】図１３は、本発明の第６実施形態に係る吸引ユニットの吸引ノズルの正面断面図である。
【発明を実施するための形態】
【００１１】
以下、本発明の例示的な実施形態について、図面を参照しながら詳細に説明する。本明細書では、図３の床面Ｆ（被清掃面）に近づく方向を「下方」とし、床面Ｆから離れる方向を「上方」とする。また、前後方向について、電動送風機７から吸込口４に向かう方向を「前方」とし、吸込口４から電動送風機７に向かう方向を「後方」とする。前後方向に直交して床面Ｆに平行な方向を「左右方向（幅方向）」とする。また、前後方向に平行で左右方向に垂直な面を「側面」とする。また、「上流」及び「下流」は電動送風機７を駆動させた際に吸込口４から吸い込まれた空気の流通方向の上流及び下流をそれぞれ示す。また、「吸込口４が床面Ｆ（被清掃面）に対向する」とは、吸込口４と床面Ｆとの間に他の部材が配されておらず吸込口４と床面Ｆとが直接互いに向き合う状態に加え、吸込口４と床面Ｆとの間に他の部材（例えば回転ブラシ等）が配されて他の部材を介して互いに向き合う状態も含む。
【００１２】
＜第１実施形態＞
（１．電気掃除機の全体構成）
本発明の例示的な実施形態の電気掃除機について以下説明する。図１〜図３は第１実施形態に係る電気掃除機の斜視図、底面図及び側面断面図を示す。電気掃除機１は所謂ロボット型の電気掃除機であり、水平断面（床面Ｆに平行な断面）形状が略円形の筐体２を有する。
【００１３】
筐体２の上面には表示部１５及び操作部１６が設けられる。操作部１６は複数のボタン（不図示）を有する。操作部１６の操作により電気掃除機１のオンオフの指示、後述の電動送風機７の回転数の変更指示、及び電気掃除機１の清掃開始時刻等の条件の入力等を行うことができる。表示部１５は例えば液晶表示パネル等を有し、操作部１６で入力された条件等を表示する。
【００１４】
また、筐体２の上面には位置センサ（不図示）が設けられる。位置センサにより電気掃除機１は室内での位置を検知することができる。
【００１５】
筐体２の底面（下面）には左右方向（長手方向Ａ）に延びる吸込口４が設けられ、筐体２の後部には左右方向に延びる排気口５が設けられる。吸込口４は室内の床面Ｆ（被清掃面）に対向し、排気口５は筐体２の後方上方に臨む。筐体２の底部の吸込口４の近傍には回転ブラシ（不図示）が設けられる。なお、回転ブラシを吸込口４内に配してもよい。
【００１６】
筐体２の内部には吸込口４と排気口５とを連結する空気通路６が設けられる。空気通路６内には気流を発生させる電動送風機７が配される。電動送風機７の駆動によって矢印Ｓで示すように吸込口４から室内の空気が空気通路６内に流入し、排気口５から室内に向けて送出される。電動送風機７としては遠心ファンが好適に用いられるが、軸流ファン等の他の種類の電動送風機を用いてもよい。
【００１７】
筐体２の内部には電動送風機７の上流側に吸引ユニット１００が配され、吸引ユニット１００は吸引通路１０２、集塵部８、フィルタ９を備える。吸引ユニット１００は、例えば、電動送風機７を有する電気掃除機１に設けられる。
【００１８】
吸引通路１０２は空気通路６内において電動送風機７より上流側の流路を形成し、吸込口４と接続口１０１とを連結する。接続口１０１は電動送風機７の吸気孔（不図示）に対向して配され、吸引通路１０２を流通した空気は接続口１０１を介して電動送風機７に吸気される。つまり、接続口１０１は、電動送風機７に接続される。吸引通路１０２は空気流通方向の上流側から第１吸引通路１０２ａ、第２吸引通路１０２ｂ及び第３吸引通路１０２ｃに区分される。
【００１９】
第１吸引通路１０２ａは筐体２に対して着脱可能に設けられる吸引ノズル２０により形成され、第１吸引通路１０２ａは吸込口４と吸引ノズル２０の下流端に開口する流出口２２とを連結する。吸込口４は床面Ｆ（被清掃面）に対向して所定の長手方向Ａに延びる。流出口２２の長手方向Ａの幅は吸込口４の長手方向Ａの幅よりも狭く形成される（図５参照）。
【００２０】
第１吸引通路１０２ａは吸込口４から上方に延びて後方に屈曲し、流出口２２を介して第２吸引通路１０２ｂに連結される。
【００２１】
第２吸引通路１０２ｂは第１吸引通路１０２ａの下流側に配され、第２吸引通路１０２ｂの下方には集塵部８が配される。集塵部８の前部上方は吸引ノズル２０によって覆われ、集塵部８の後部上面は開口して第２吸引通路１０２ｂと連通している。すなわち、吸引通路１０２の下方に集塵部８が設けられ、集塵部８の後部上方が開口して吸引通路１０２の一部と連通する。
【００２２】
第２吸引通路１０２ｂと第３吸引通路１０２ｃとはフィルタ９を介して連通している。また、フィルタ９は集塵部８の底面まで延びて集塵部８の後方全体を覆う。第３吸引通路１０２ｃの下方には通気路１０８が配され、通気路１０８と集塵部８とはフィルタ９を介して連通している。
【００２３】
第３吸引通路１０２ｃ及び通気路１０８は接続口１０１に向かって流路幅（長手方向Ａの幅）が狭くなるように形成され、接続口１０１は前方に向かって斜め上方に開口している。
【００２４】
第２吸引通路１０２ｂから第３吸引通路１０２ｃに流入する空気に含まれる塵埃はフィルタ９により捕集され、容器状に形成される集塵部８内に集塵される。第２吸引通路１０２ｂからフィルタ９を通過して第３吸引通路１０２ｃに流入した空気及び集塵部８からフィルタ９を通過して通気路１０８に流入した空気は接続口１０１を介して電動送風機７に吸気される。なお、吸引ノズル２０及びフィルタ９を含む集塵部８は筐体２に対して着脱可能に構成される。
【００２５】
筐体２の底面の左右端部には左右一対の駆動輪１９ａが設けられる。筐体２の底面の前端部には１個の自在輪から成る従動輪１９ｂが設けられる。駆動輪１９ａは駆動モータ（不図示）に連結される。これにより、筐体２は床面Ｆ上を移動することができる。
【００２６】
また、電気掃除機１は各部を制御する制御部（不図示）を有する。制御部には電動送風機７、表示部１５、操作部１６、駆動モータ、位置センサ、記憶部等が接続される。記憶部は電気掃除機１の制御プログラムを格納するとともに、操作部１６により入力された条件等を記憶する。
【００２７】
筐体２の前部には二次電池等を有する電力供給部１１が設けられる。電力供給部１１は電動送風機７、制御部、駆動モータ等に電力を供給し、筐体２の底面に露出した筐体側接点（不図示）を有する。筐体側接点は、商用電源（不図示）に接続された充電台（不図示）の充電台側接点に接する。これにより、充電台を介して電力供給部１１の二次電池が充電される。なお、電気掃除機１は清掃動作の開始前には充電台上に配置される。
【００２８】
（２．吸引ユニットの構成）
図４、図５は吸引ユニット１００の斜視図、上面断面図を示す。吸引通路１０２は吸込口４の長手方向Ａ中心と、流出口２２の長手方向Ａ中心と、接続口１０１の長手方向Ａ中心とを結ぶ中心線ＣＴ方向に延びて吸込口４と接続口１０１とを連結する。
【００２９】
第１吸引通路１０２ａ、第２吸引通路１０２ｂ、第３吸引通路１０２ｃの上面は上壁２８ａにより形成され、左右面はそれぞれ側壁２８ｃ及び側壁２８ｄにより形成される。また、第１吸引通路１０２ａの下面は下壁２８ｂにより形成されている。第２吸引通路１０２ｂ、第３吸引通路１０２ｃの下面は下壁２８ｂにより形成されておらず、開口してそれぞれ集塵部８及び通気路１０８と連通している。
【００３０】
上壁２８ａ及び下壁２８ｂは第１吸引通路１０２ａにおいて後方へ行くほど上方に位置するように傾斜しており、吸込口４から第１吸引通路１０２ａに流入した空気は上昇しながら後方に導かれて流出口２２を通過する。
【００３１】
通気路１０８の底面も後方へ行くほど上方に位置するように傾斜しており、集塵部８から通気路１０８流入した空気は上昇しながら後方に導かれて接続口１０１に吸引される。
【００３２】
第１吸引通路１０２ａの内部には仕切壁（第２仕切壁）２５が、長手方向Ａに複数（本実施形態では２個）並設される。仕切壁２５の上端及び下端はそれぞれ上壁２８ａと下壁２８ｂとに連設されて吸込口４から流出口２２まで延びる。
【００３３】
これにより、第１吸引通路１０２ａは主通路（第２主通路）２１ａ及び複数（本実施形態では２個）の分割通路（第２分割通路）２１ｂ、２１ｃに分割される。主通路２１ａは吸引通路１０２の中心線ＣＴが位置する。複数の分割通路２１ｂ、２１ｃは、仕切壁２５を介して主通路２１ａよりも長手方向Ａの両外側に位置する。
【００３４】
すなわち、吸引ユニット１００は、吸引通路１０２の内部に設けられ、吸込口４側から接続口１０１側へ延びる複数の仕切壁（第２仕切壁）２５を備え、吸引通路１０２は、吸引通路１０２を仕切壁２５で吸込口４の長手方向Ａに仕切り、吸引通路１０２の中心線ＣＴが位置する主通路（第２主通路）２１ａと、仕切壁２５を介して主通路２１ａよりも長手方向Ａの両外側に位置する複数の分割通路（第２分割通路）と、を有する。これにより、電動送風機７の吸気側で流路が狭くなっていても吸込口４の長手方向Ａの両端部から吸い込まれた空気の気流が第１吸引通路１０２ａ内に流入した直後に中心線ＣＴ側に急激には曲げられず、空気の乱流を低減することができる。
【００３５】
また、仕切壁２５によって吸込口４は吸込口４ａ、４ｂ、４ｃに分割される。吸込口４ａ、４ｂ、４ｃはそれぞれ主通路２１ａ、分割通路２１ｂ、分割通路２１ｃの上流端に配される。吸込口４ｂ、４ｃは吸込口４ａに近接する。
【００３６】
仕切壁２５は吸込口４近傍において、主通路２１ａの幅を狭くする方向に湾曲した後に空気流通方向の上流から下流に向かって長手方向Ａに対して略垂直の方向に延びている。
【００３７】
また、側壁２８ｃ、２８ｄも第１吸引通路１０２ａの吸込口４近傍において仕切壁２５に沿って中主通路２１ａの幅を狭くする方向に湾曲した後に、空気流通方向の上流から下流に向かって長手方向Ａに対して略垂直の方向に延びている。
【００３８】
これにより、分割通路２１ｂ、２１ｃの上流部及び下流部は流路幅が同一に形成される。すなわち、分割通路（第２分割通路）２１ｂ、２１ｃの上流部の流路幅が同一に形成されている。なお、「同一」とは厳密に同一の場合に加えて略同一の場合も含む。
【００３９】
また、吸引通路１０２における吸込口４の長手方向Ａの幅Ｗ２０が、集塵部８における吸込口４の長手方向Ａの幅Ｗ２１よりも狭い。これにより、集塵部８の上面に取手等を設けるスペースを確保することができる。
【００４０】
また、仕切壁２５は下流端に対して上流端が長手方向Ａの外側に配され、吸込口４ａにおける主通路２１ａの長手方向Ａの幅Ｗ１は、流出口２２における主通路２１ａの長手方向Ａの幅Ｗ２よりも広い。
【００４１】
また、吸込口４ｂの幅Ｗ３と吸込口４ｃの幅Ｗ５とは略同じであり、吸込口４ａの幅Ｗ１は吸込口４ｂの幅Ｗ３及び吸込口４ｃの幅Ｗ５よりも広く形成される。流出口２２における分割通路２１ｂの幅Ｗ４と分割通路２１ｃの幅Ｗ６とは略同じである。また、流出口２２における分割通路２１ｂの幅Ｗ４及び分割通路２１ｃの幅Ｗ６は主通路２１ａの幅Ｗ２よりも小さい。
【００４２】
第３吸引通路１０２ｃの内部には仕切壁（第１仕切壁）１２５が、長手方向Ａに複数（本実施形態では２個）並設される。仕切壁１２５の上端及び下端はそれぞれ上壁２８ａと通気路１０８の底面とに連設されて接続口１０１側からフィルタ９まで延びている。仕切壁１２５の上流端はフィルタ９と接している。すなわち、仕切壁（第１仕切壁）１２５の上流端は吸引通路１０２内の吸込口４と接続口１０１との流路中央より接続口１０１側に位置する。また、仕切壁１２５の上流端における下端は、仕切壁１２５の下流端における下端より下側に延びている。また、仕切壁（第１仕切壁）１２５の上流端と仕切壁（第２仕切壁）２５の下流端とが離間して形成されている。
【００４３】
これにより、第３吸引通路１０２ｃは主通路（第１主通路）１２１ａ及び複数（本実施形態では２個）の分割通路（第１分割通路）１２１ｂ、１２１ｃに分割される。主通路１２１ａは吸引通路１０２の中心線ＣＴが位置する。複数の分割通路１２１ｂ、１２１ｃは、仕切壁１２５を介して主通路１２１ａよりも長手方向Ａの両外側に位置する。
【００４４】
すなわち、吸引ユニット１００は、吸込口４の長手方向Ａ中心と接続口１０１の長手方向Ａ中心とを結ぶ中心線ＣＴ方向に延びて吸込口４と接続口１０１とを連結する吸引通路１０２と、吸引通路１０２の内部に設けられ、接続口１０１側から吸込口４側へ延びる複数の仕切壁（第１仕切壁）１２５と、を備え、吸引通路１０２は、吸引通路１０２を仕切壁１２５で吸込口４の長手方向Ａに仕切り、吸引通路１０２の中心線ＣＴが位置する主通路（第１主通路）１２１ａと、仕切壁１２５を介して主通路１２１ａよりも長手方向Ａの両外側に位置する複数の分割通路（第１分割通路）１２１ｂ、１２１ｃと、を有する。
【００４５】
また、仕切壁１２５によって接続口１０１の周縁は接続部１０１ａ、１０１ｂ、１０１ｃに分割される。接続部１０１ａ、１０１ｂ、１０１ｃはそれぞれ主通路１２１ａ、分割通路１２１ｂ、１２１ｃの下流端に配される。接続部１０１ｂ、１０１ｃは接続部１０１ａに近接する。
【００４６】
仕切壁１２５は上流端から空気流通方向の上流から下流に向かって長手方向Ａに対して略垂直の方向に延びた後、中心線ＣＴ側（長手方向Ａの内側）に湾曲して接続口１０１側に向かって直線状に延びる。
【００４７】
また、側壁２８ｃ、２８ｄも第３吸引通路１０２ｃにおいて仕切壁１２５に沿って空気流通方向の上流から下流に向かって長手方向Ａに対して略垂直の方向に延びた後、中心線ＣＴ側（長手方向Ａの内側）に湾曲して接続口１０１側に向かって直線状に延びる。
【００４８】
これにより、分割通路１２１ｂ、１２１ｃの上流部及び下流部は流路幅が同一に形成される。すなわち、分割通路（第１分割通路）１２１ｂ、１２１ｃの上流部の流路幅が同一に形成されている。なお、「同一」とは厳密に同一の場合に加えて略同一の場合も含む。
【００４９】
また、仕切壁１２５は上流端に対して下流端が長手方向Ａの内側に配され、主通路１２１ａの下流端における長手方向Ａの幅Ｗ１１は、主通路１２１ａの上流端における長手方向Ａの幅Ｗ１２よりも狭い。
【００５０】
また、接続部１０１ｂの幅Ｗ１３と接続部１０１の幅Ｗ１５とは同一であり、接続部１０１ａの幅Ｗ１１は接続部１０１ｂの幅Ｗ１３及び接続口１０１ｂの幅Ｗ１５よりも狭く形成される。すなわち、主通路（第１主通路）の下流端の幅Ｗ１１と分割通路（第１分割通路）の下流端の幅Ｗ１３、Ｗ１５とが、異なる。分割通路１２１ｂの上流端の幅Ｗ１４と分割通路１２１ｃの上流端の幅Ｗ１６とは同一である。また、分割通路１２１ｂ、１２１ｃの上流端の幅Ｗ１４、幅Ｗ１６は主通路２１ａの上流端の幅Ｗ１２よりも狭い。なお、「同一」とは厳密に同一の場合に加えて略同一の場合も含む。
【００５１】
また、主通路１２１ａの上流端における長手方向Ａの幅Ｗ１２は流出口２２における主通路２１ａの長手方向Ａの幅Ｗ２と同一に形成されている。また、分割通路１２１ｂ、１２１ｃの上流端の幅Ｗ１４、幅Ｗ１６は流出口２２における分割通路２１ｂ、２１ｃの幅Ｗ４、幅Ｗ６とそれぞれ同一に形成されている。なお、「同一」とは厳密に同一の場合に加えて略同一の場合も含む。
【００５２】
なお、仕切壁２５、１２５は２個に限定されず、４個以上の偶数個でもよい。この場合、吸引通路１０２ａ、１０２ｃは１個の主通路と４個以上の偶数個の分割通路に分割される。
【００５３】
（３．電気掃除機の清掃動作）
上記構成の電気掃除機１において、記憶部に予め記憶された清掃開始時刻になると、筐体２が充電台から離れて自動的に床面Ｆ上を移動する。このとき、電動送風機７が駆動され、回転ブラシが回転する。これにより、電気掃除機１の清掃動作が開始される。床面Ｆ上の塵埃を含む気流は矢印Ｓ（図５参照）で示すように吸込口４ａ、４ｂ、４ｃを介してそれぞれ主通路２１ａ、分割通路２１ｂ、２１ｃ内に流入する。
【００５４】
このとき、分割通路２１ｂ、２１ｃの上流部及び下流部は流路幅が同一に形成されており、分割通路２１ｂ、２１ｃの空気流通方向の上流から下流に向かって吸引力の低下を抑えることができる。
【００５５】
また、乱流が発生しにくい主通路２１ａの吸込口４ａの幅Ｗ１を吸込口４ｂ、４ｃの幅Ｗ３、Ｗ５よりも広く形成し、吸引ノズル２０の吸引効率をより向上させることができる。
【００５６】
また、主通路２１ａ、分割通路２１ｂ、２１ｃ内を流通した気流は流出口２２を介して第２吸引通路１０２ｂに流入する。第２吸引通路１０２ｂを流通する気流の一部は集塵部８内に流入する。空気中の塵埃Ｄはフィルタ９により捕集され、集塵部８内に集塵される（図３参照）。
【００５７】
このとき、吸引通路１０２の下方に集塵部８が設けられ、集塵部８の後部上方が開口して吸引通路１０２と連通することにより、吸引効率及び清掃効率が向上した吸引ユニット１００を容易に実現することができる。
【００５８】
また、吸引通路１０２の下方に集塵部８を設けることにより、空気は層流状態で吸引通路１０２内を流通する。これにより、電動送風機７の回転数を上昇させることなく長手方向Ａの両端部の吸込口４ｂ、４ｃからも塵埃Ｄを円滑に吸引することができる。したがって、集塵部８内の乱流を低減して集塵部８内に堆積した塵埃Ｄの再飛散を防止することができる。
【００５９】
第２吸引通路１０２ｂからフィルタ９を通過して第３吸引通路１０２ｃに流入した空気は接続口１０１を介して電動送風機７に吸引される。また、集塵部８内の空気はフィルタ９を通過して通気路１０８に流入し、接続口１０１を介して電動送風機７に吸引される。電動送風機７を通過した空気は排気口５を介して筐体２の外部に排出される。これにより、床面Ｆが清掃される。
【００６０】
このとき、第３吸引通路１０２ｃには接続口１０１から延びる仕切壁１２５が設けられており、接続口１０１近傍で乱流の発生を低減することができる。これにより、気流が主通路１２１ａ、分割通路１２１ｂ、１２１ｃから接続口１０１内に円滑に流入して吸引ユニット１００の吸引効率を向上することができる。
【００６１】
また、仕切壁１２５の上流端は吸引通路１０２内の吸込口４と接続口１０１との流路中央より接続口１０１側に位置する。これにより、接続口１０１近傍での乱流の発生をより低減して空気を円滑に流通させることができる。
【００６２】
また、分割通路１２１ｂ、１２１ｃの流路幅が同一に形成されており、左右の分割通路１２１ｂ、１２１ｃの下流端の幅Ｗ１３、Ｗ１５が、同一である。これにより、分割通路１２１ｂ、１２１ｃには同等の吸引力が働き、ユニット１００の吸引効率を向上することができる。
【００６３】
また、仕切壁１２５の上流端における下端は、仕切壁１２５の下流端における下端より下側に延びることにより、第３吸引通路１０２ｃにおいて接続口１０１に上昇しながら向かう気流を接続口１０１に円滑に流通させることができる。
【００６４】
また、仕切壁（第１仕切壁）１２５の上流端と仕切壁（第２仕切壁）２５の下流端とが離間して形成されていることにより、集塵部８から第２吸引通路１０２ｂへ上昇する気流の発生を低減して第２吸引通路１０２ｂ内の空気を層流状態で流通させることができる。これにより、ユニット１００の吸引効率をより向上することができる。
【００６５】
また、分割通路（第１分割通路）１２１ｂ、１２１ｃの上流部及び分割通路（第２分割通路）２１ｂ、２１ｃの下流部の流路幅が同一に形成されており、分割通路（第１分割通路）１２１ｂ、１２１ｃの上流部及び分割通路（第２分割通路）２１ｂ、２１ｃの下流部の空気流通方向の上流から下流に向かって吸引力が低下するのを抑えることができる。
【００６６】
また、主通路（第２主通路）２１ａの上流端の長手方向Ａの幅Ｗ１は、主通路（第１主通路）１２１ａの下流端の長手方向Ａの幅Ｗ１１よりも広い。これにより、主通路（第２主通路）２１ａ及び主通路（第１主通路）１２１ａに働く吸引力を大きくできる。したがって、吸引ユニット１００の吸引効率を向上させることができる。
【００６７】
電気掃除機１は電動送風機７を駆動させながら床面Ｆ全体を移動した後に充電台に戻り、電動送風機７が停止される。これにより、電気掃除機１の清掃動作が終了する。
【００６８】
（５．風速分布のシミュレーション）
図６は吸込口４の風速分布のシミュレーションの結果を示すグラフである。縦軸は吸引力温度（単位：Ｐａ）を示し、横軸は吸込口４の長手方向Ａの位置を示している。なお、横軸の２００〜８００の目盛りは吸込口４ａの風速分布を示し、横軸の０〜２００は吸込口４ｂの風速分布を示す。また、横軸の８００〜１０００は吸込口４ｃの風速分布を示す。
【００６９】
また、実線Ａは本実施形態に係る吸引ユニット１００の風速分布を示し、破線Ｂは比較例に係る吸引ユニットの風速分布を示す。比較例に係る吸引ユニットは分割通路２１ｂ、２１ｃの上流部及び下流部の流路幅が同一に形成されておらず、仕切壁１２５が設けられていない。
【００７０】
本実施形態に係る吸引ユニット１００は比較例に係る吸引ユニットと比較して吸込口４の長手方向Ａに亘って吸引力が向上した。なお、分割通路（第１分割通路）１２１ｂ、１２１ｃの下流部において、上流から下流に向かって複数箇所で風速分布を測定したところ、本実施形態に係る吸引ユニット１００は比較例に係る吸引ユニット１００と比較して分割通路２１ｂ、２１ｃの吸引力が上流から下流に向かって低下し難かった。
【００７１】
本実施形態によると、吸込口４と接続口１０１とを連結する吸引通路１０２の内部に設けられ、接続口１０１から吸込口４側へ延びる複数の仕切壁（第１仕切壁）１２５を備え、吸引通路１０２を仕切壁１２５で吸込口４の長手方向Ａに仕切って吸引通路１０２の中心線ＣＴが位置する主通路（第１主通路）１２１ａと、仕切壁１２５を介して主通路１２１ａよりも長手方向Ａの両外側に位置する複数の分割通路（第１分割通路）１２１ｂ、１２１ｃと、を有する。
【００７２】
これにより、第３吸引通路１０２ｃには接続口１０１から延びる仕切壁１２５が設けられており、接続口１０１近傍で乱流の発生を低減することができる。これにより、気流が主通路１２１ａ、分割通路１２１ｂ、１２１ｃから接続口１０１内に円滑に流入して吸引ユニット１００の吸引効率を向上することができる。
【００７３】
また、仕切壁１２５の上流端は吸引通路１０２内の吸込口４と接続口１０１との流路中央より接続口１０１側に位置する。これにより、接続口１０１近傍での乱流の発生をより低減して空気を円滑に流通させることができる。
【００７４】
また、主通路１２１ａの下流端の幅Ｗ１１と分割通路１２１ｂ、１２１ｃの下流端の幅Ｗ１３、Ｗ１５とが、異なることにより、吸引ユニット１００の設計自由度を向上することができる。
【００７５】
また、左右の分割通路１２１ｂ、１２１ｃの下流端の幅Ｗ１３、Ｗ１５が、同一であることにより、分割通路１２１ｂ、１２１ｃには同等の吸引力が働く。このため、ユニット１００の吸引効率を向上することができる。
【００７６】
また、吸引通路１０２の下方に集塵部８が設けられ、集塵部８の後部上方が開口して吸引通路１０２と連通することにより、吸引効率及び清掃効率が向上した吸引ユニット１００を容易に実現することができる。
【００７７】
また、仕切壁１２５の上流端における下端は、仕切壁１２５の下流端における下端より下側に延びることにより、吸引通路１０２において接続口１０１に上昇しながら向かう気流を接続口１０１に円滑に流通させることができる。
【００７８】
また、吸引通路１０２における吸込口４の長手方向Ａの幅Ｗ２０が、集塵部８における吸込口４の長手方向Ａの幅Ｗ２１よりも狭く、集塵部８の上面に取手等を設けるスペースを確保することができる。さらに、吸引通路１０２における吸込口４の長手方向Ａの幅Ｗ２０を狭くすることによって、例えば、接続口１０１に近づくにつれて吸引通路１０２の流路断面積を狭くすることができるので、接続口１０１に近づくにつれて、流路内の圧力が低下し、吸引力が低下することを抑制できる。
【００７９】
また、吸引通路１０２の内部に設けられ、吸込口４から接続口１０１側へ延びる複数の仕切壁（第２仕切壁）２５を備え、吸引通路１０２を仕切壁２５で吸込口４の長手方向Ａに仕切り、吸引通路１０２の中心線ＣＴが位置する主通路（第２主通路）２１ａと、仕切壁２５を介して主通路２１ａよりも長手方向Ａの両外側に位置する複数の分割通路（第２分割通路）と、を有する。
【００８０】
これにより、電動送風機７に接続される吸込口４近傍で、空気の乱流を低減することができる。従って、吸引ユニット１００の吸引効率を向上できる。
【００８１】
また、仕切壁（第１仕切壁）１２５の上流端と仕切壁（第２仕切壁）２５の下流端とが離間して形成されていることにより、吸引通路１０２内の空気を層流状態で流通させて吸引ユニット１００の吸引効率を向上できる。
【００８２】
また、分割通路（第１分割通路）１２１ｂ、１２１ｃの上流部及び分割通路（第２分割通路）２１ｂ、２１ｃの下流部の流路幅が同一に形成されていることにより、分割通路（第１分割通路）１２１ｂ、１２１ｃの上流部及び分割通路（第２分割通路）２１ｂ、２１ｃの下流部の空気流通方向の上流から下流に向かって吸引力が低下するのを抑えることができる。
【００８３】
また、主通路（第２主通路）２１ａの上流端の長手方向Ａの幅Ｗ１は、主通路（第１主通路）１２１ａの下流端の長手方向Ａの幅Ｗ１１よりも広い。これにより、主通路（第２主通路）２１ａ及び主通路（第１主通路）１２１ａに働く吸引力を大きくできる。したがって、吸引ユニット１００の吸引効率を向上させることができる。
【００８４】
＜第２実施形態＞
次に、本発明の第２実施形態について説明する。図７は第２実施形態の吸引ユニット１００の上面断面図である。説明の便宜上、前述の図１〜図６に示す第１実施形態と同様の部分には同一の符号を付す。第２実施形態では仕切壁１２５の形状が第１実施形態とは異なっている。その他の部分は第１実施形態と同様である。
【００８５】
分割通路１２１ｂ、１２１ｃは下流端近傍において接続口１０１に近づくに従って流路幅が大きくなる。
【００８６】
本実施形態によると、第１実施形態と同様の効果を得ることができる。また、分割通路１２１ｂ、１２１ｃが接続口１０１に近づくに従って流路幅が大きく形成されているため、接続口１０１近傍での乱流をより低減することができる。これにより、気流が主通路１２１ａ、分割通路１２１ｂ、１２１ｃから接続口１０１内により円滑に流入して吸引ユニット１００の吸引効率を向上させることができる。
【００８７】
＜第３実施形態＞
次に、本発明の第３実施形態について説明する。図８、図９は第３実施形態の吸引ユニット１００の斜視図、上面断面図を示す。説明の便宜上、前述の図１〜図６に示す第１実施形態と同様の部分には同一の符号を付す。第３実施形態では仕切壁２５の形状が第１実施形態とは異なっている。その他の部分は第１実施形態と同様である。
【００８８】
仕切壁２５は第１吸引通路１０２ａから第２吸引通路１０２ｂに跨って延び、仕切壁２５の下流端はフィルタ９を介して仕切壁１２５の上流端と連続して形成されている。なお、第２吸引通路１０２ｂにおいて仕切壁２５は下壁２８ｂの下流端から水平方向に延びており、仕切壁２５の下端は集塵部８より上方に位置する。すなわち、仕切壁（第１仕切壁）１２５の上流端と仕切壁（第２仕切壁）２５の下流端とが連続して形成されている。
【００８９】
本実施形態によると、第１実施形態と同様の効果を得ることができる。また、仕切壁（第１仕切壁）１２５の上端部と仕切壁（第２仕切壁）とが連続して形成されており、主通路２１ａ、分割通路２１ｂ、２１ｃから主通路１２１ａ、分割通路１２１ｂ、１２１ｃに空気を円滑に流通させることができる。これにより、主通路２１ａ、分割通路２１ｂ、２１ｃと主通路１２１ａ、分割通路１２１ｂ、１２１ｃとの間で乱流が発生するのを防止して吸引ユニット１００の吸引力を向上することができる。
【００９０】
なお、図１０は本実施形態の吸引ユニット１００の変形例を示す上面断面図であり、本実施形態においても第２実施形態と同様に、分割通路１２１ｂ、１２１ｃの下流端近傍を接続口１０１に近づくに従って流路幅が大きく形成してもよい。
【００９１】
＜第４実施形態＞
次に、本発明の第４実施形態について説明する。図１１は第４実施形態の吸引ユニット１００の上面断面図である。説明の便宜上、前述の図１〜図６に示す第１実施形態と同様の部分には同一の符号を付す。第４実施形態では仕切壁２５、１２５の形状が第１実施形態とは異なっている。その他の部分は第１実施形態と同様である。
【００９２】
第１吸引通路１０２ａ内には平板状の複数の仕切壁２５が長手方向Ａに並設される。仕切壁２５は第１吸引通路１０２ａから第２吸引通路１０２ｂに跨って延び、仕切壁２５は吸込口４側から接続口１０１側にわたって一直線上に配される。
【００９３】
一方、第３吸引通路１０２ｃ内には平板状の複数の仕切壁１２５が長手方向Ａに並設される。仕切壁１２５は接続口１０１側から吸込口４側にわたって一直線上に配され、仕切壁２５の下流端とフィルタ９を介して仕切壁１２５の上流端と連続して形成されている。
【００９４】
仕切壁２５、１２５は上壁２８ａに垂直な平板により形成され、前面視で２つの仕切壁２５、１２５は吸込口４から接続口１０１に行くほど互いに近づくように傾斜して配置される。すなわち、仕切壁（第１仕切壁）１２５及び仕切壁（第２仕切壁）２５は平板状であり、吸込口４側から接続口１０１側にわたって一直線上に連続して形成される。
【００９５】
本実施形態によると、第３実施形態と同様の効果を得ることができる。また、仕切壁２５、１２５は平板状であり、吸込口４側から接続口１０１側にわたって一直線上に配される。これにより、主通路２１ａ、１２１ａ、分割通路２１ｂ、２１ｃ、１２１ｂ、１２１ｃを流通する気流の仕切壁２５、１２５からの剥離を容易に防止して乱流の発生をより低減して吸引ユニット１００の吸引力を向上することができる。
することができる。
【００９６】
＜第５実施形態＞
次に、本発明の第５実施形態について説明する。図１２は第５実施形態の吸引ユニット１００の吸引ノズル２０の斜視図である。説明の便宜上、前述の図１〜図６に示す第１実施形態と同様の部分には同一の符号を付す。第５実施形態では仕切壁２５の形状が第１実施形態とは異なっている。その他の部分は第１実施形態と同様である。
【００９７】
仕切壁２５は空気流通方向の上流から下流に向かって上流側垂直部２５ａ、第１湾曲部２５ｂ、第２湾曲部２５ｃ及び下流側垂直部２５ｄを順に有する。上流側垂直部２５ａは仕切壁２５の上流端に配され、長手方向Ａに対して略垂直に形成される。すなわち、上流端において、仕切壁２５が、長手方向Ａに対して略垂直な上流側垂直部２５ａを有する。第１湾曲部２５ｂは上流側垂直部２５ａの下流側に連続して形成され、中心線ＣＴから離れた側（長手方向Ａの外側）に凸に湾曲する。すなわち、仕切壁２５が、上流側垂直部２５ａの下流側に連続して中心線ＣＴから離れた側に凸に湾曲する第１湾曲部２５ｂを有する。第２湾曲部２５ｃは第１湾曲部２５ｂの下流側に連続して形成され、中心線ＣＴに近い側（長手方向Ａの内側）に凸に湾曲する。すなわち、仕切壁２５が、第１湾曲部２５ｂの下流側に連続して中心線ＣＴに近い側に凸に湾曲する第２湾曲部２５ｃを有する。下流側垂直部２５ｄは第２湾曲部２５ｃに連続する下流端に配され、長手方向Ａに対して略垂直に形成される。すなわち、仕切壁２５が、第２湾曲部２５ｃに連続する下流端に長手方向Ａに対して略垂直な下流側垂直部２５ｄを有する。
【００９８】
これにより、仕切壁２５は下流端に対して上流端が長手方向Ａの外側に配され、吸込口４ａにおける主通路２１ａの長手方向Ａの幅Ｗ１は、流出口２２における主通路２１ａの長手方向Ａの幅Ｗ２よりも広い。吸込口４ｂの長手方向Ａの幅Ｗ３は、流出口２２における分割通路２１ｂの長手方向Ａの幅Ｗ４よりも狭い。吸込口４ｃの長手方向Ａの幅Ｗ５は、流出口２２における分割通路２１ｃの長手方向Ａの幅Ｗ６よりも狭い。
【００９９】
吸込口４ｂの幅Ｗ３と吸込口４ｃの幅Ｗ５とは略同じであり、吸込口４ａの幅Ｗ１は吸込口４ｂの幅Ｗ３及び吸込口４ｃの幅Ｗ５よりも広く形成される。流出口２２における分割通路２１ｂの幅Ｗ４と分割通路２１ｃの幅Ｗ６とは略同じである。また、分割通路２１ｂ、２１ｃは下流側で広げられるため、流出口２２における分割通路２１ｂの幅Ｗ４及び分割通路２１ｃの幅Ｗ６は主通路２１ａの幅Ｗ２に近づけられる。本実施形態では流出口２２における主通路２１ａの幅Ｗ２、分割通路２１ｂの幅Ｗ４及び分割通路２１ｃの幅Ｗ６を略同じに形成している。なお、吸込口４ｂの幅Ｗ３と吸込口４ｃの幅Ｗ５は異なってもよい。
【０１００】
電気掃除機１の清掃動作が開始され、矢印Ｓで示すように吸込口４ａ、４ｂ、４ｃを介してそれぞれ主通路２１ａ、分割通路２１ｂ、２１ｃ内に流入した時、仕切壁２５は上流側垂直部２５ａを有するため、仕切壁２５の上流端の近傍での乱流が低減される。これにより、気流が主通路２１ａ、分割通路２１ｂ、２１ｃ内に円滑に流入する。主通路２１ａ、分割通路２１ｂ、２１ｃ内に流入した空気は第１湾曲部２５ｂ及び第２湾曲部２５ｃの順に沿って流通する。これにより、分割通路２１ｂ、２１ｃ内に流入した空気は中心線ＣＴ側に滑らかに誘導される。したがって、分割通路２１ｂ、２１ｃ内の空気の乱流を低減して空気を円滑に流通させることができる。
【０１０１】
また、流出口２２における分割通路２１ｂ、２１ｃの幅Ｗ４、Ｗ６が主通路２１ａの幅Ｗ２に近づけられるため、主通路２１ａ、分割通路２１ｂ、分割通路２１ｃには同等の吸引力が働く。このため、吸込口４の長手方向Ａでの吸引力を略均一にすることができる。
【０１０２】
また、乱流が発生しにくい主通路２１ａの吸込口４ａの幅Ｗ１を吸込口４ｂ、４ｃの幅Ｗ３、Ｗ５よりも広く形成し、吸引ノズル２０の吸引効率をより向上させることができる。
【０１０３】
また、仕切壁２５は下流側垂直部２５ｄを有するため、主通路２１ａ、分割通路２１ｂ、分割通路２１ｃの下流部に到達した空気は円滑に流出口２２の下流に導かれる。
【０１０４】
本実施形態によると、吸引ノズル２０には第１吸引通路１０２ａを吸込口４の長手方向Ａに仕切って主通路２１ａ、分割通路２１ｂ、２１ｃに分割する複数の仕切壁（第２仕切壁）２５が設けられる。これにより、電動送風機７の吸気側で流路が狭くなっていても吸込口４の長手方向Ａの両端部から吸い込まれた空気の気流が第１吸引通路１０２ａ内に流入した直後に中心線ＣＴ側に急激には曲げられず、空気の乱流を低減することができる。
【０１０５】
また、吸込口４における主通路２１ａの長手方向Ａの幅Ｗ１が流出口２２における主通路２１ａの長手方向Ａの幅Ｗ２よりも広い。このため、流出口２２における主通路２１ａの幅Ｗ２に分割通路２１ｂ、２１ｃの幅Ｗ４、Ｗ６が近づけられ、分割通路２１ｂ、２１ｃに働く吸引力を大きくできる。これにより、吸込口４の吸引力を長手方向Ａにわたって略均一にすることができる。したがって、吸引ノズル２０の吸引効率を向上させることができる。
【０１０６】
また、第１吸引通路１０２ａの上流端において、仕切壁２５が長手方向Ａに対して略垂直な上流側垂直部２５ａを有する。これにより、仕切壁２５の上流端の近傍での乱流をより低減することができる。
【０１０７】
また、仕切壁２５が、上流側垂直部２５ａの下流側に連続して中心線ＣＴから離れた側に凸に湾曲する第１湾曲部２５ｂを有する。これにより、長手方向Ａの両端部の吸込口４ｂ、４ｃから吸い込まれた空気を分割通路２１ｂ、２１ｃ内で円滑に流通させることができる。
【０１０８】
また、仕切壁２５が、第１湾曲部２５ｂの下流側に連続して中心線ＣＴに近い側に凸に湾曲する第２湾曲部２５ｃを有する。これにより、長手方向Ａの両端部の吸込口４ｂ、４ｃから吸い込まれた空気を第１吸引通路１０２ａの下流部に円滑に導くことができる。
【０１０９】
また、仕切壁２５が、第２湾曲部２５ｃに連続する下流端に長手方向Ａに対して略垂直な下流側垂直部２５ｄを有する。これにより、主通路２１ａ、分割通路２１ｂ、２１ｃ内を流通した空気を円滑に流出口２２に導くことができる。
【０１１０】
また、吸込口４における主通路２１ａの長手方向Ａの幅Ｗ１が、吸込口４における分割通路２１ｂ、２１ｃの長手方向Ａの幅Ｗ３、Ｗ５よりも広い。これにより、乱流が発生しにくい主通路２１ａの幅Ｗ３を広くし、吸引ノズル２０の吸引効率をより向上させることができる。
【０１１１】
なお、本実施形態において、第２湾曲部２５ｃ及び下流側垂直部２５ｄを省いて、第１湾曲部２５ｂを上流側垂直部２５ａの下流端から流出口２２まで形成してもよい。
【０１１２】
＜第６実施形態＞
次に、本発明の第６実施形態について説明する。図１３は第６実施形態の吸引ユニット１００の吸引ノズル２０の正面断面図である。説明の便宜上、前述の図１〜図６に示す第１実施形態と同様の部分には同一の符号を付す。第６実施形態では仕切壁２５の形状が第１実施形態とは異なっている。その他の部分は第１実施形態と同様である。
【０１１３】
仕切壁２５は空気流通方向の上流から下流に向かって上流側垂直部２５ａ、直線部２５ｅ及び下流側垂直部２５ｄを順に有する。なお、第５実施形態とは異なり、第６実施形態においては、仕切壁２５が、下流端に長手方向Ａに対して略垂直な下流側垂直部２５ｄを有する。これにより、主通路２１ａ、分割通路２１ｂ、分割通路２１ｃの下流部に到達した空気は円滑に流出口２２の下流に導かれる。直線部２５ｅは上流側垂直部２５ａの下流端及び下流側垂直部２５ｄの上流端にそれぞれ連続して形成され、一直線上に形成される。
【０１１４】
本実施形態でも第１実施形態と同様の効果を得ることができる。なお、本実施形態において、上流側垂直部２５ａまたは下流側垂直部２５ｄを省いてもよい。
【産業上の利用可能性】
【０１１５】
本発明によると、吸引ユニット及びそれを備えた電気掃除機に利用することができる。
【符号の説明】
【０１１６】
１・・・電気掃除機、２・・・筐体、４・・・吸込口、４ａ・・・吸込口、４ｂ・・・吸込口、４ｃ・・・吸込口、５・・・排気口、６・・・空気通路、７・・・電動送風機、８・・・集塵部、９・・・フィルタ、１１・・・電源供給部、１５・・・表示部、１６・・・操作部、１９ａ・・・駆動輪、１９ｂ・・・従動輪、２０・・・吸引ノズル、２１ａ・・・主通路、２１ｂ・・・分割通路、２１ｃ・・・分割通路、２２・・・流出口、２５・・・仕切壁（第２仕切壁）、２５ａ・・・上流側垂直部、２５ｂ・・・第１湾曲部、２５ｃ・・・第２湾曲部、２５ｄ・・・下流側垂直部、２５ｅ・・・直線部、２６・・・ハウジング、２８ａ・・・上壁、２８ｂ・・・下壁、２８ｃ・・・側壁、２８ｄ・・・側壁、１００・・・吸引ユニット、１０１・・・接続口、１０１ａ・・・接続部、１０１ｂ・・・接続部、１０１ｃ・・・接続部、１０２・・・吸引通路、１０２ａ・・・第１吸引通路、１０２ｂ・・・第２吸引通路、１０２ｃ・・・第３吸引通路、１０８・・・通気路、１２１ａ・・・主通路（第１主通路）、１２１ｂ・・・分割通路（第１分割通路）、１２１ｃ・・・分割通路（第１分割通路）、１２５・・・仕切壁（第１仕切壁）、Ａ・・・長手方向、Ｄ・・・塵埃、Ｆ・・・床面（被清掃面）、ＣＴ・・・中心線、Ｓ・・・矢印、Ｗ１・・・幅、Ｗ２・・・幅、Ｗ３・・・幅、Ｗ４・・・幅、Ｗ５・・・幅、Ｗ６・・・幅、Ｗ７・・・幅、Ｗ８・・・幅Ｗ１１・・・幅、Ｗ１２・・・幅、Ｗ１３・・・幅、Ｗ１４・・・幅、Ｗ１５・・・幅、Ｗ１６・・・幅、Ｗ２０・・・幅、Ｗ２１・・・幅、
【図１】
2018108168.tif 000003
【図２】
2018108168.tif 000004
【図３】
2018108168.tif 000005
【図４】
2018108168.tif 000006
【図５】
2018108168.tif 000007
【図６】
2018108168.tif 000008
【図７】
2018108168.tif 000009
【図８】
2018108168.tif 000010
【図９】
2018108168.tif 000011
【図１０】
2018108168.tif 000012
【図１１】
2018108168.tif 000013
【図１２】
2018108168.tif 000014
【図１３】
2018108168.tif 000015